(57)【特許請求の範囲】
【請求項１】
相変化型光情報記録媒体のフォーマット方法であって、
アドレス情報をデータ領域に記録する工程と、
アドレス情報をデータ領域に記録するときの記録速度に比べて遅い記録速度で、媒体管理情報をＰＭＡ領域に記録する工程と、
を備えたことを特徴とする相変化型光情報記録媒体のフォーマット方法。
【請求項２】
媒体管理情報をＰＭＡ領域に記録する工程を、アドレス情報をデータ領域に記録する工程の完了後に行なうことを特徴とする請求項１に記載の相変化型光情報記録媒体のフォーマット方法。
【請求項３】
前記データ領域の記録後、媒体管理情報の記録を行なう前に０．０１秒以上２秒以内の間、信号記録を行なうユニットの動作を停止させることを特徴とする請求項２に記載の相変化型光情報記録媒体のフォーマット方法。
【請求項４】
前記データ領域の記録後、媒体管理情報の記録を行なう前に少なくとも１度以上情報記録を行なう装置にリセット信号を送信することを特徴とする請求項２に記載の相変化型光情報記録媒体のフォーマット方法。
【請求項５】
前記媒体管理情報を記録する装置と、データ領域を記録する装置が同じであることを特徴とする請求項１乃至４のいずれかに記載の相変化型光情報記録媒体のフォーマット方法。
【請求項６】
前記データ領域の記録後、媒体管理情報の記録を記録媒体の半径値で内側と外側の少なくとも２箇所以上行なう場合に、媒体管理情報記録を外側から先に行なうことを特徴とする請求項２に記載の相変化型光情報記録媒体のフォーマット方法。
【請求項７】
請求項１乃至６のいずれかに記載のフォーマット方法を用いて作成されたことを特徴とする相変化型情報記録媒体。
【発明の詳細な説明】
【０００１】
【発明の属する技術分野】
本発明は、光記録媒体、特に光ビームを照射することにより記録層材料に相変化を生じさせ、情報の記録・再生を行ない、かつ、書き換えが可能である相変化型情報記録媒体と、それをフォーマットする方法及びその装置に関するものであり、貼り合わせ型相変化型情報記録媒体に応用される。
【０００２】
【従来の技術】
相変化型光情報記録媒体、例えばＣＤ−ＲＷディスクは、情報未記録の状態ではドライブ（ディスク駆動装置）にマウントさせてもすぐに使用することができず、予め情報記録したフォーマット済みのディスクが一般に使用されている。特にランダムアクセス可能なパケットライティング（ファイルやデータをパケット毎に記録変更するライティング）を行なう場合は、ＣＤ−ＲＷディスク全面にアドレス情報データを書き込む動作と、特定のアドレスにＵＤＦ（Universal Disk Format）データやＰＭＡデータを書き込む動作の２工程が必要とされる。上記フォーマットされたＣＤ−ＲＷディスクを実際にドライブにマウントして使用する場合、フォーマットで最初に書き込まれたアドレス情報データは、新たに書き込むデータでオーバーライト（上書き）されるため、最初に書き込まれたアドレス情報は高速で記録されることが多い。
【０００３】
特にＣＤ−ＲＷの７４分全面の記録を従来の１倍速（ＣＬＶ：１．２ｍ／ｓｅｃ）で行なった場合は、アドレス情報記録だけで７４分かかるが、記録ドライブの最高記録速度、例えば１０倍速（ＣＬＶ：１２ｍ／ｓｅｃ）で信号記録を行なうとアドレス情報記録は８分で完了する。オーバーライトされるデータ領域のアドレス情報記録品質は、この場合は特に重要視されていない。
ところが、ＵＤＦデータやＰＭＡデータなどの媒体管理情報はオーバーライトされることは少なく、主にリードオンリーで使用されることが多いので、記録信号の品質が良いことが好ましい。
また、このような媒体管理情報の記録容量はとても小さいため、記録に要する時間を短縮するよりも、記録信号の品質をより向上させることが要求される。
このため、媒体管理情報をアドレス情報よりも高いパワーで記録するという技術が先願としてあるが、記録パワー以外の要因で記録信号品質が低下してしまった場合には不充分であるため、それ以外にも媒体管理情報を品質良く記録する手法がないか、更に詳しく探る必要があった。
一般にアドレス情報の記録はディスクの内周部分から開始し、最外周部分で完了するが、媒体管理情報は、最内周のみの場合もあるが、多くは最内周と最外周の２箇所、又はそれ以上の箇所にばらばらに情報を記録することが多く、フォーマットを行なう装置にとっては、光学ユニットの移動が高速で且つ頻繁になるため、トラブルを起こし易い環境にある。
【０００４】
オーバーライト可能な相変化型情報記録媒体における媒体管理情報とユーザーデータ情報の取り扱いについて、例えば特開平８−７３４３号公報には、相変化型光記録媒体を製造する際、光を照射して前記光記録媒体の記録層を非晶質状態から結晶状態に変える初期化処理を行った後、記録パワーレベルが最適記録パワー以下の値であってかつ消去パワーレベルが最適消去パワーより高い値であるパワーでオーバライトすることにより、従来の初期化処理を高速化すると信頼性が高く、初回記録から良好で安定した記録再生特性が得られにくく、さらに特性を回復するのも困難という欠点を改善することが記載されており、特開平１０−３６９４号公報には、基板上に書換え可能な相変化型記録層を設けた光学的情報記録用媒体の該基板には集束光ビームを案内するための溝を同心円状または螺旋状に設け、該溝に沿ってユーザーデータ領域およびファイル管理領域を形成し、ユーザーデータ領域では、アドレス情報および同期情報を表す信号によって溝形状を信号変形させるとともに、ファイル管理領域では溝形状を一定とすることにより、繰返しオーバーライト時の劣化が特に問題となるファイル管理領域での劣化を抑制し、ディスクの信頼性・耐久性を向上させることが記載されており、特開平１０−１１７６３号公報には、シングルスパイラル・ランド／グルーブフォーマットの光ディスクのセクタのアドレス管理を容易にし、再生専用光ディスクとフォーマット互換を取りやすくできるような形で識別信号を付加するため、ヘッダ領域に物理アドレス領域ＰＩＤ１〜４を４回記録し、ＰＩＤ１，２は溝部のセクタのトラック中心からトラックピッチの半分だけディスクの外周側に変位させ、ＰＩＤ３，４は溝部のセクタのトラック中心からトラックピッチの半分だけディスクの内周側に変位させて配置し、ヘッダ領域を溝部のセクタと溝間部のセクタで共用し、ＰＩＤ３，４のアドレス領域には溝部のセクタのアドレスを、ＰＩＤ１，２のアドレス領域にはその溝部のセクタの外周に隣接する溝間部のセクタのアドレスを、記録スパイラル上にセクタの並ぶ順に１づつ増やして付番することが開示されており、特開平１０−１０５９６９号公報には、光ディスクを高効率でソフトフォーマットできるとともにフォーマット信号の信頼性を高めるため、実ドライブに用いられるレーザー光源よりも高出力のソフトフォーマット用レーザー光源を有するソフトフォーマット装置を用いてソフトフォーマットされた光ディスク（１０）であって、フォーマット信号（１１）のマーク性状が、記録されるべきデータ信号（１２）のマーク性状と異なっている光デイスクが開示されており、特開平１０−１５４３３４号公報には、情報記録領域を有する光ディスクのトラッキングのためのサーボ情報と、前記情報記録領域をフォーマットするためのフォーマット処理情報とが設けられた基板と、この基板における，前記サーボ情報及び前記フォーマット処理情報が設けられた面に形成された記録膜とを具備し、前記情報記録領域の前記記録膜上にＩＤ情報を記録してフォーマットを行うことにより、アドレス情報に対する半径位置のばらつきがなく、フォーマッティング開始位置が外乱等で影響を受けることがなくディスクの所定領域を確実にフォーマッティングすることが記載されているが、これら技術は、媒体管理情報を記録する部分の信号記録を、データ領域の信号記録の完了後に行なうものではない。
【０００５】
また、特開２０００−１１３８０号公報には、オーバーライト可能な相変化型光記録媒体に対するフォーマット処理を高速で行って、処理に要する時間を削減するため、相変化型光記録媒体の未記録部にデータを記録する際の初期記録線速度を、データをオーバーライトする際のオーバーライト線速度よりも速く設定することが記載されているが、この技術は、非晶質化に適した線速度でオーバーライト可能な相変化型光記録媒体に対するフォーマット処理を高速で行って、処理に要する時間を削減するためのものであって、媒体管理情報を記録する部分の信号記録を、データ領域の信号記録の完了後に行なうことにより報記録媒体のフォーマットのオーバーライト品質を良くするためのものではない。
【０００６】
さらに、特開２０００−３５３３１７号公報には、光ディスクドライブなどの各種ドライブをコントロールするためのＣＰＵと、フラッシュＲＯＭなどのデータ格納用のＲＯＭと、ＡＴＡＰＩ、ＳＣＳＩなどのインターフェースを搭載したドライブコントロール用基板よりなる光ディスクのフォーマット装置を用いて、複数回のパワーキャリブレーションを行って複数の記録パワーを求め、得られた複数の記録パワーから平均記録パワーを算出して、該平均記録パワーに所定の係数を乗じて得られた値をフォーマット用記録パワーとし、該フォーマット用記録パワーによりフォーマットを行うことにより、フォーマット時の記録パワーをドライブが記録するパワーよりも低めに設定し、また、ＵＤＦデータなどの重要なデータを複数回記録し、元データとの照合を行うことにより記録信号の信頼性を向上させ、大量に高品質のＣＤ−ＲＷディスクを供給することが記載されているが、これは、パワーキャリブレーションを行って複数の記録パワーを求め、得られた複数の記録パワーから平均記録パワーを算出記録速度を変更するものであり、本発明とは異なる。
【０００７】
特開２００１−１２６２６５号公報には、オーバーライト可能な相変化型光記録媒体において、ジッターを低減させ、エラーを低減させるため、未フォーマットの相変化型光記録媒体をフォーマットした後、媒体管理情報を記録するに際し、該媒体管理情報の記録を、少なくとも２回のオーバーライトによって行うことが記載されており、特開２００１−１４８１４０号公報には、ＣＤ−ＲＷと互換性を保つ書換可能領域と再生専用領域を一つの媒体面に有する書換可能型コンパクトディスクを提供するため、ＲＡＭ領域１０５とＲＯＭ領域１０４とを同一ディスク面上に有し、相変化型記録層がＲＡＭ領域とＲＯＭ領域との両方に設けられ、ＲＡＭ領域にはウォブル溝が設けられ、記録光を照射し非晶質マークを形成して情報を記録でき、ＲＯＭ領域には情報がプリピット列により記録されてなり、波長７７０〜７９０ｎｍ，対物レンズ開口数が０．４９〜０．５１の光ピックアップを用いて測定した場合に、ＲＡＭ領域の記録前と記録後のプッシュプル信号値の比｜Ｉ1−Ｉ2｜／｜Ｉ1−Ｉ2｜aが１．０５以上２．０以下であるか、又はＲＡＭ領域の記録後のプッシュプル信号値とＲＯＭ領域のプッシュプル信号値との比｜Ｉ1−Ｉ2｜a／｜Ｉ1−Ｉ2｜ROMが０．７８以上１．３以下の書換可能型コンパクトディスクとすることが記載されているが、これらも、媒体管理情報を記録する部分の信号記録を、データ領域の信号記録の完了後に行なうものではない。
【０００８】
【発明が解決しようとする課題】
本発明の第１の目的は、相変化型情報記録媒体のフォーマットを品質良く、なおかつ高速に行なうことである。また、第２の目的は、相変化型情報記録媒体のフォーマットを効率よく生産する条件を提供することである。また、第３の目的は、相変化型情報記録媒体のフォーマットを行なう装置でフォーマットを歩留良く生産する条件を提供することである。また、第４の目的は、相変化型情報記録媒体のフォーマットを容易に安価に生産する装置を提供することである。更に、第５の目的は、前記のようなフォーマットされた相変化型情報記録媒体を得ることである。
【０００９】
【課題を解決するための手段】
上記課題は、本発明の（１）「相変化型光情報記録媒体のフォーマット方法であって、アドレス情報をデータ領域に記録する工程と、アドレス情報をデータ領域に記録するときの記録速度に比べて遅い記録速度で、媒体管理情報をＰＭＡ領域に記録する工程と、を備えたことを特徴とする相変化型光情報記録媒体のフォーマット方法。」；
（２）「媒体管理情報をＰＭＡ領域に記録する工程を、アドレス情報をデータ領域に記録する工程の完了後に行なうことを特徴とする前記第（１）項に記載の相変化型光情報記録媒体のフォーマット方法」；
（３）「前記データ領域の記録後、媒体管理情報の記録を行なう前に０．０１秒以上２秒以内の間、信号記録を行なうユニットの動作を停止させることを特徴とする前記第（２）項に記載の相変化型光情報記録媒体のフォーマット方法」；
（４）「前記データ領域の記録後、媒体管理情報の記録を行なう前に少なくとも１度以上情報記録を行なう装置にリセット信号を送信することを特徴とする前記第（２）項に記載の相変化型光情報記録媒体のフォーマット方法」；
（５）「前記媒体管理情報を記録する装置と、データ領域を記録する装置が同じであることを特徴とする前記第（１）項乃至第（４）項のいずれかに記載の相変化型光情報記録媒体のフォーマット方法」；
（６）「前記データ領域の記録後、媒体管理情報の記録を記録媒体の半径値で内側と外側の少なくとも２箇所以上行なう場合に、媒体管理情報記録を外側から先に行なうことを特徴とする前記第（２）項に記載の相変化型光情報記録媒体のフォーマット方法」により達成される。
【００１０】
また、上記課題は、本発明の（７）「前記第（１）項乃至第（６）項のいずれかに載のフォーマット方法を用いて作成されたことを特徴とする相変化型情報記録媒体」によって達成される。
【００１１】
以下、本発明による相変化型光情報記録媒体のフォーマット方法について詳細に説明する。ここでは相変化型光情報記録媒体がＣＤ−ＲＷである場合を例に述べる。
図１に本発明のフォーマット方法が適用されるＣＤ−ＲＷの場合のＰＭＡ領域、アドレスデータ記録領域、ＵＤＦデータ記録領域を模式的に示す。
ＣＤ−ＲＷのフォーマットは全面へのアドレス情報の記録と、１部の指定されたアドレスのみに行なわれるディスク情報記録の２段階を経て完成するが、今回はアドレス情報記録を先に行ない、次にディスク情報記録を行なうフローを使用した。
フォーマットの信号記録に使ったドライブは、ＣＤ−ＲＷ記録最高速度が４倍速（ＣＬＶ：４．８ｍ／ｓｅｃ）であったため、アドレス情報の記録を４倍速で行ない１９分で完了した。その後ＰＭＡエリアにディスク情報を記録して、更にパケットライティング用のアプリケーションソフト「ＤｉｒｅｃｔＣＤ」用のＵＤＦデータを内周と外周に記録した。
このＰＭＡデータは半径値２２．３ｍｍで、更に「ＤｉｒｅｃｔＣＤ」用のＵＤＦデータは内周部分が２５．０ｍｍ、外周部分は５６．８ｍｍと、それぞれの記録半径値は大きく離れている。
信号記録のドライブは、ディスクへの信号記録開始前に、予め信号記録速度を設定してやり、途中でそれを変更するには、一旦ドライブにリセット信号を送る必要があるため、最初に設定したままの記録速度で上記のアドレス情報の記録と、ディスク管理情報の記録を行なっている。
一般的な４倍速でのフォーマットに要する時間は、アドレス情報記録に１９分、ディスク管理情報の記録に８０秒程度の合わせて２０分と２０秒程度である。更にアドレス情報やディスク管理情報を読み込みしてベリファイする場合は、８倍速読み込み速度を使うと１０分弱かかり、合計３０分でフォーマットを行なうことができる。
【００１２】
【実施例】
本発明の実施例を以下の４点で示す。
実施例１
ＣＤ−ＲＷのフォーマットのうち最初のアドレス情報記録を４倍速で行なった。その後一旦ドライブにリセット信号を送り、ディスクへの信号記録速度情報をクリアーにしてから、新たに記録速度を２倍速に設定してディスク管理情報を記録した。
２倍速でディスク情報記録を行なうと１６０秒かかるが、フォーマット全体の時間は、全ての記録を４倍速度で行なった場合に比べて１分強増加するだけで、大勢には影響が小さい。それよりも、２倍速でディスク情報記録を行なうと、殆どが読み出しだけで使われるＰＭＡ信号の品質が向上した点の効果が大きい。
【００１３】
図２は、実施例１、２及び記録パワーだけを変更した場合のＰＭＡ部分のPit Jitterを数台のドライブにより信号記録を行ない、比較した結果である。これと同様に内周と外周のＵＤＦデータの信号品質も向上している。
【００１４】
実施例２
データ記録部のアドレス情報記録は内周から開始して外周で完了する。次のＰＭＡ情報記録は最内周なので光学ユニットは、最外周から最内周にシークして、すぐに信号記録を開始する。通常だとシーク後の振動が安定しない状態で記録を開始するので記録速度を２倍速にしても少し記録信号のジッタが悪かった。そこでＰＭＡ情報記録の前に１００ｍｓｅｃのウエイトを行なったところ、図２のようにＰＭＡ信号ジッタの低下が見られた。
【００１５】
実施例３
「ＤｉｒｅｃｔＣＤ」用フォーマットの場合、ＵＤＦデータは内周部分が２５．０ｍｍにあり、外周部分は５６．８ｍｍにある。アドレス情報記録は５７．０ｍｍで完了するため、その後すぐに外周部分のＵＤＦデータを記録した後で、内周のＵＤＦデータを記録し、最後にＰＭＡデータを記録することにより、光学ユニットの移動を２往復から１往復に減らすことができた。これにより、フォーマット全体の時間は３秒程度短縮できる。時間短縮はそれほどでもないが、ユニットの耐久性向上と、記録信号の品質向上には大きな効果があった。
【００１６】
実施例４
「ＦｉｌｅＣＤ」用フォーマットの場合、ＵＤＦデータは内周部分のみなので、信号記録の順番をアドレス情報記録→内周２５．０ｍｍのＵＤＦデータ記録→最内周２２．３ｍｍのＰＭＡデータ記録という順番にすることにより、記録信号の品質向上を行なうことができる。
【００１７】
【発明の効果】
以上、詳細且つ具体的な説明より明らかなように、本発明の請求項１により、品質良く、なおかつ高速に相変化型情報記録媒体のフォーマットを行なうことができた。また、請求項２の発明により、相変化型情報記録媒体のフォーマットを効率よく生産する条件を得ることができた。また、請求項３、４の発明により、相変化型情報記録媒体のフォーマットを行なう装置でフォーマットを歩留良く生産する条件を得ることができた。また、請求項５の発明により、相変化型情報記録媒体のフォーマットを容易に安価に生産する装置を実現することができた。また、請求項６の発明により、相変化型情報記録媒体のフォーマットを品質良くなおかつ高速に行なうことができた。また、請求項７の発明により、請求項１から６によってフォーマットされた相変化型情報記録媒体を得ることができた。
【図面の簡単な説明】
【図１】本発明のフォーマット方法が適用されるＣＤ−ＲＷの場合のＰＭＡ領域、アドレスデータ記録領域、ＵＤＦデータ記録領域を模式的に示した図である。
【図２】記録条件を変更した際のPit Jitterの変化を示した図である。
【図１】
0003919169.tif 000002
【図２】
0003919169.tif 000003